(57)【要約】      （修正有）【課題】ロック解除状態でロッドのホルダーに対する取付位置を仮決めすることができ、ロック解除位置にロック体がある場合であっても、ロック体の位置がホルダーから大きく離れることがない長さ調整装置。【解決手段】長手形状のロッド本体６と、ロッド本体６の外周面に形成される係止歯列７とを有するロッド２と、ホルダー本体９と、ホルダー本体９に設けられ、ロッド２の一部を収納可能なロッド収容部３と、ロッド収容部３の内面に形成され、係止歯列７に噛合する被係止歯列１０と、ロッド収容部３における周回り方向の一部が開口して、ロッド２の一部をホルダー本体９の軸方向に対して垂直な方向からロッド収容部３に出し入れ可能な開口部１１とを有するホルダー４と、ホルダー本体９に接続されるロック体５とを備え、ロック体５は、ロック解除位置とロック位置との間で移動可能であるとともに、該移動は、ロック体５の軸が略同一の状態での移動である。【選択図】図１
2015031380.tif 000002
【特許請求の範囲】
【請求項１】
長手形状のロッド本体と、前記ロッド本体の外周面に形成される係止歯列と、を有するロッドと、
ホルダー本体と、前記ホルダー本体に設けられ、前記ロッドの一部を収納可能なロッド収容部と、前記ロッド収容部の内面に形成され、前記係止歯列に噛合する被係止歯列と、前記ロッド収容部における周回り方向の一部が開口して、前記ロッドの一部を前記ホルダー本体の軸方向に対して垂直な方向から前記ロッド収容部に出し入れ可能な開口部と、を有するホルダーと、
前記ホルダー本体に移動可能に接続されるロック体と、を備え、
前記ロック体は、前記係止歯列と前記被係止歯列との噛合、又は当該噛合の解除が可能なロック解除位置と、前記係止歯列と前記被係止歯列との噛合が解除されることを規制するロック位置との間で移動可能であるとともに、該移動は、前記ロック体の軸が略同一の状態での移動である
ことを特徴とする長さ調整装置。
【請求項２】
前記ロック体は、前記ホルダー本体の軸方向に対する周回り方向に回転移動可能に当該ホルダー本体に接続されることを特徴とする請求項１に記載の長さ調整装置。
【請求項３】
前記ロック体は前記ロック解除位置のときに前記開口部を開放し、前記ロック位置のときに前記開口部を閉鎖することを特徴とする請求項１又は２に記載の長さ調整装置。
【請求項４】
前記ホルダー本体の軸方向と垂直な方向に延びて形成された操作部を前記ロック体に有することを特徴とする請求項１から３のいずれかに記載の長さ調整装置。
【請求項５】
前記ホルダー本体は、前記ロッドの一部を前記ロッド収容部に収納したときに、当該ロッドの前記ロッド収容部から延出する方向と逆側に、他の部材に連結可能な連結部を有することを特徴とする請求項１から４のいずれかに記載の長さ調整装置。
【発明の詳細な説明】
【技術分野】
【０００１】
本発明は、長さを調整し、調整した長さで組付けることができる長さ調整装置に関する。
【背景技術】
【０００２】
従来より、組付部材を被組付部材へ組み付ける際には、組付部材や被組付部材の寸法のばらつきや、組付部材がコントロールケーブルの場合にはコントロールケーブルの経路のばらつきによって、組付部材と被組付部材との組付位置にズレが生じるため、組付部材または被組付部材の長さを調整する必要があり、様々な長さ調整装置が提案されている。
【０００３】
例えば、特許文献１には、ロッドの外周面に複数の環状の係止歯からなる係止歯列が形成され、当該ロッドを収納するＵ溝の内周面にロッドの係止歯列と係止する複数の係止溝からなる係止溝列が形成されたロッド係止部を有するケーシングと、ケーシングに対し、ロッドをＵ溝の内周面に押圧する閉位置と開放する開位置との間で移動自在に設けられたロックプレートと、ケーシングに対してスライド自在に設けられ、ロックプレートの開閉状態を維持するロック部材と、を備える構成が開示されている。このロックプレートは、ロッド係止部から離間したケーシングの軸方向端部に設けられたピン連結部を軸心として回転移動自在に連結されている。また、ロック部材は、開位置及び閉位置におけるロックプレートの回転移動を規制する位置と、ロックプレートの回転移動を許容する位置との間でスライド自在となっている。
【０００４】
また、特許文献２には、外周に複数の凹凸溝が形成されたロッドエンドを端部に有するコントロールケーブルと、ロッドエンドを収容するケース部と、凹凸溝にかみ合う溝を内周に形成した断面Ｕ字形状であって、コントロールケーブルのケース部に対する軸方向の位置を選択した後で、ケース部に嵌合しロッドエンドをはさんで、移動できないように固定するロック部材とを備える構成が開示されている。
【先行技術文献】
【特許文献】
【０００５】
【特許文献１】特許第４８２２９５０号公報
【特許文献２】特開２００６−１５３２５７号公報
【発明の概要】
【発明が解決しようとする課題】
【０００６】
しかし、特許文献１に記載の構成は、ロック部材をロックプレートの回転移動を許容する位置にスライドさせないとロックプレートを閉位置へ回転移動させることができず、ロック部材をロックプレートの回転移動を許容する位置にスライドさせた場合には、ロックプレートの回転移動が規制されていないので、ロックプレートの位置が安定しない。したがって、組み付け作業の際に、ロックプレートの位置を確認する必要があり、組付け作業に余計な手間が掛かる虞がある。
【０００７】
また、特許文献２に記載の構成においては、ロック部材の内周にロッドエンドの凹凸溝にかみ合う溝が形成されているので、ロック部材をケース部に嵌合して、ロッドエンドをはさんで、ロッドが移動できないように固定しない限りは、ロッドエンドの軸方向の移動を規制することはできない。したがって、ロック部材をケース部に嵌合させる前に、ロッドエンドをケース部に取り付ける位置を調整し、調整した位置を手で保持させながらロック部材を固定しなくてはならない。
【０００８】
そこで、本発明は、ロック解除状態でロッドのホルダーに対する取付位置を仮決めすることができ、且つ、ロッドの係止歯列と、ホルダーの被係止歯列との噛合、又は当該噛合の解除が可能なロック解除位置にロック体がある場合であっても、ロック体の位置がホルダーから大きく離れることがない長さ調整装置を提供することを目的とする。
【課題を解決するための手段】
【０００９】
上記目的を達成するために、本発明の長さ調整装置は、長手形状のロッド本体と、前記ロッド本体の外周面に形成される係止歯列と、を有するロッドと、ホルダー本体と、前記ホルダー本体に設けられ、前記ロッドの一部を収納可能なロッド収容部と、前記ロッド収容部の内面に形成され、前記係止歯列に噛合する被係止歯列と、前記ロッド収容部における周回り方向の一部が開口して、前記ロッドの一部を前記ホルダー本体の軸方向に対して垂直な方向から前記ロッド収容部に出し入れ可能な開口部と、を有するホルダーと、前記ホルダー本体に移動可能に接続されるロック体と、を備え、前記ロック体は、前記係止歯列と前記被係止歯列との噛合、又は当該噛合の解除が可能なロック解除位置と、前記係止歯列と前記被係止歯列との噛合が解除されることを規制するロック位置との間で移動可能であるとともに、該移動は、前記ロック体の軸が略同一の状態での移動であることを特徴としている。
【発明の効果】
【００１０】
（１）本発明の長さ調整装置によると、ロック体がロック解除位置にある場合に、ロッドの係止歯列とホルダーの被係止歯列との噛合、又は当該噛合の解除が可能であるので、係止歯列と被係止歯列との噛合を解除して、ホルダーに対するロッドの軸方向の位置を調整し、係止歯列と被係止歯列とを噛合させて、ホルダーに対するロッドの取り付け位置を仮決めすることができる。また、ロック体のホルダー本体に対する移動は、ロック体の軸が略同一の状態での移動であるので、ロック体がロック解除位置にある場合においても、ロック体はホルダーから大きく離れることが無い。したがって、組付作業の際にロック体をロック解除位置からロック位置に移動させる工程を容易なものにすることができるとともに、ホルダーに対するロッドの取り付け位置を調整する作業を行う際と、ロック体をロック位置に移動させる作業の際とで、作業している手を替える必要が無く、極めて簡単な作業で調整した長さに固定することができる。
【００１１】
（２）ロック体は、ホルダー本体の軸方向に対する周回り方向に回転移動することで、ロック解除位置からロック位置に移動できるものであるので、ロック体をロック位置に移動させる作業をきわめて簡単に行うことができる。また、ホルダー本体の軸方向に対する周回りに回転させるだけでよいので、周囲に他の部品などが組み付けられている場合のように作業スペースが狭い場合や目視しながらの組付けが困難な場合にも組付け作業することができる。
【００１２】
（３）本発明の長さ調整装置によると、ロック体はロック解除位置のときにホルダーの開口部を開放し、ロック位置のときに当該開口部を閉鎖するので、ロッドを確実に保持することができる。
【００１３】
（４）本発明の長さ調整装置によると、ホルダー本体の軸方向と垂直な方向に延びる操作部をロック体が有するので、ロック体をロック解除位置とロック位置との間で、回転移動させる操作をきわめて簡単に行うことができる。
【００１４】
（５）本発明の長さ調整装置によると、ホルダー本体が、他の部材と連結可能な連結部をロッドのロッド収容部から延出する方向と逆側に有しているので、ロッドの延出側の端部に固定された部材と、連結部に連結された部材とを両部材の相対的な長さを調整しつつ取付けることができる。
【図面の簡単な説明】
【００１５】
【図１】ロック体がロック解除位置にある状態の長さ調整装置の全体構成を示す斜視図。
【図２】ロック体がロック位置にある状態の長さ調整装置の全体構成を示す斜視図。
【図３】長さ調整装置を構成するロッドの外観構成を示す斜視図。
【図４】（Ａ）は、ホルダーをロッド収納部の開口部が設けられた側から見た斜視図であり、（Ｂ）は、ホルダーをロッド収納部の開口部が設けられた側の逆側から見た斜視図。
【図５】（Ａ）は、ロック体の構成を示す平面図であり、（Ｂ）は、ロック体の構成を示す斜視図。
【図６】（Ａ）はロック体がロック解除位置にある状態の長さ調整装置を示す平面図であり、（Ｂ）は（Ａ）のＩ−Ｉ線断面図。
【図７】（Ａ）はロック体がロック位置にある状態の長さ調整装置を示す平面図であり、（Ｂ）は（Ａ）のＩＩ−ＩＩ線断面図。
【発明を実施するための形態】
【００１６】
以下、図面を参照しつつ、本発明の長さ調整装置１の実施形態について説明する。長さ調整装置１は、本実施形態においては、組付部材として不図示のコントロールケーブルと、被組付部材として不図示の車両の変速機のセレクトレバーとを連結する部分に用いているが、これに限定されるものではなく、長さを調整して組付ける種々の部材に適用することができるものである。長さ調整装置１は、図１及び図２に示すように、長手形状のロッド２と、ロッド２の一部を収容できるロッド収容部３を有するホルダー４と、ホルダー４に予め接続されているロック体５とを備えている。
【００１７】
ロッド２は図３に示すように、一端に図示しないコントロールケーブルを接続する略円柱状の長手形状のロッド本体６を有するとともに、ロッド本体６の他端側の外周面に複数の山型の環状に形成された係止歯が軸方向に列設された係止歯列７を有している。更に、ロッド２は、ロッド本体６の他端側の先端に、ロッド本体６よりも径の大きな拡径部８を有している。なお、本実施形態におけるロッド２は、他端側の先端に拡径部８を有しているが、拡径部８の位置は先端に限定されるものではなく、また、本発明のロッド２は拡径部８を有していないものであってもよい。
【００１８】
そして、ホルダー４は、図１及び図４に示すように、ホルダー本体９と、ホルダー本体９に設けられ、ロッド２の一部を収納可能なロッド収容部３と、ロッド収容部３の内面に形成され、係止歯列７に噛合する被係止歯列１０と、ロッド収容部３における周回り方向の一部が開口して、ロッド２の一部をホルダー本体９の軸方向に対して垂直な方向からロッド収容部３に出し入れ可能な開口部１１と、例えば図示しないセレクトレバーなどの他の部材に連結可能な連結部１２とを有している。
【００１９】
なお、ここで、「ホルダー本体の軸方向」とは、ロッド収容部３にロッド２を収容した場合に、ロッド２の軸方向となる方向である。
【００２０】
ホルダー本体９は、図４（Ａ）に示すように、ホルダー本体９の軸方向に沿って、略Ｕ字溝状のロッド収容部３が形成されている。ロッド収容部３の底側の内周面には、半円状の山型に連なった被係止歯がロッド収容部３の軸方向に沿って複数列設され、ロッド２の係止歯列７に噛合可能な被係止歯列１０が形成されている。被係止歯列１０は、ロッド収容部３の一端から中央を越える位置にまで設けられており、ロッド収容部３の他端側には、被係止歯列１０が設けられた部分よりも内径が大きく形成され、ロッド２の拡径部８を収納できる拡径収容部１３が設けられている。ロッド収容部３における周回り方向の一部、すなわち略Ｕ字溝状のロッド収容部３は開口しており、ロッド２の一部をホルダー本体９の軸方向に対して垂直な方向からロッド収容部３に出し入れ可能な開口部１１を形成している。
【００２１】
また、ホルダー本体９は、図４（Ａ）、図４（Ｂ）、図６、及び図７に示すように、軸方向の中間に略円柱形状に形成され、ロック体５が外嵌されるロック体保持部１４が設けられている。ロック体保持部１４には、被係止歯列１０の一部が形成されている。ロック体保持部１４の軸は、ロッド収容部３にロッド２を収納した際のロッド２の軸と平行であって、且つ、当該ロッド２の軸から開口部１１が形成された側と逆側に離れた位置になるように形成されている。
【００２２】
連結部１２は、ホルダー本体９の、ロッド２の一部をロッド収容部３に収納したときに、当該ロッド２のロッド収容部３から延出する方向と逆側となる位置に形成され、貫通孔１２ａを有しており、貫通孔１２ａに被組付部材を連結するものである。連結部１２は、被組付部材に連結することができればどのようなものでもよく、貫通孔でなくてもかまわない。
【００２３】
ロック体５は、図５、図６、及び図７に示すように、周壁の一部が開いた開放部１５を有する略円筒形状であって、ホルダー本体９のロック体保持部１４に外嵌する外嵌部１６と、ロック体５の回転移動を操作するための操作部１７とを有する。外嵌部１６は、内周の径がロック体保持部１４の外周の径と略等しく形成されている。外嵌部１６は弾性を有する例えば合成樹脂製で、弾性変形によって開放部１５を広げることで、ロック体保持部１４にスナップフィットによって外嵌する。
【００２４】
このように、ロック体５は、外嵌部１６を弾性変形させてスナップフィットによって簡単にロック体保持部１４に接続させることができ、しかも、ロッド２をホルダー４へ組み付ける前に、予めロック体５をホルダー本体９へ接続させた状態とすることができるので、ロッド２をホルダー４へ組み付けるときにロック体５をホルダー本体９に組み付ける工程が不要となり、作業工程を簡略化することができるとともに、目視しながらの組付けが困難な場合にも簡単に作業することができる。
【００２５】
ホルダー本体９のロック体保持部１４に外嵌部１６が外嵌し、ロック体５は、外嵌部１６の内周面がロック体保持部１４の外周面を摺動しつつホルダー本体９の軸方向に対する周回り方向に回転移動可能にホルダー本体に接続された状態となる。このとき図６（Ｂ）に示すように、開放部１５がロッド収容部３の開口部１１側を向くことで、開口部１１が開放されるので、ロッド２の一部を開口部１１からロッド収容部３内に入れて、ロッド２に設けられた係止歯列７とロッド収容部３の底部の内周面に形成された被係止歯列１０とを噛合し、又は当該噛合を解除することが可能となる。本実施形態において、係止歯列７と被係止歯列１０との噛合、又は当該噛合の解除が可能な位置を、ロック解除位置という。
【００２６】
ロック体５がロック解除位置にある状態において、ロッド２の一部をロッド収容部３に収容して、係止歯列７と被係止歯列１０とを噛合させると、ロッド２はその軸方向には移動ができなくなるが、開口部１１側への移動は規制されていないので、ロッド２を単に開口部１１側に移動させるだけで、係止歯列７と被係止歯列１０との噛合を解除することができる状態を仮決めという。したがって、ロック体５がロック解除位置にある状態で、係止歯列７と被係止歯列１０とを噛合させて、ホルダー４に対するロッド２の取り付け位置を仮決めすることができ、ホルダー４に対するロッド２の取り付け位置を調整する場合には、ロッド２を開口部１１側に移動させて、係止歯列７と被係止歯列１０との噛合を解除し、ホルダー４に対するロッド２の取り付け位置を調整した後で、再度、係止歯列７と被係止歯列１０とを噛合させてホルダー４に対するロッド２の取り付け位置を仮決めすることができる。
【００２７】
また、図６（Ｂ）に示すようなロッド２の一部をロッド収容部３内に入れた状態から、図７（Ｂ）に示すようにロック体５を回転移動させて、ロック体５の外嵌部１６によって開口部１１が閉鎖され、ロッド２の開口部１１側への移動が規制されることになり、係止歯列７と被係止歯列１０との噛合が解除されることが規制される。本実施形態において、このようなロック体５の回転移動により、係止歯列７と被係止歯列１０との噛合が解除されることを規制する位置を、ロック位置という。ロック体５は、ロック解除位置とロック位置とに移動可能となっている。
【００２８】
なお、本実施形態においては、ロック体５は、ホルダー本体９の軸方向に対する周回り方向に回転移動可能に当該ホルダー本体９に接続されているが、本発明のロック体５は、ホルダー本体９の軸方向に対する周回り方向に回転移動可能なものに限定されるものではない。ロック体５は、ロック体５の軸方向に平行な直線移動可能にホルダー本体９に接続されるものであってもよい。この場合、ロック体５は、開口部１１を開放する位置と開口部１１を閉鎖する位置との間で、直線的に移動可能であればよい。すなわち、ロック体５が開口部１１を開放する位置にある場合に、係止歯列７と被係止歯列１０との噛合、又は当該噛合の解除が可能となり、ロック体５が開口部１１を閉鎖する位置にある場合に、当該ロック体５が係止歯列７と被係止歯列１０との噛合が解除されることを規制するので、ロック体５は、ロック解除位置とロック位置との間で移動可能となる。ロック体５のホルダー本体９に対する移動は、これに限られず、ロック解除位置とロック位置との間で、ロック体５の軸が略同一の状態での移動であれば、上記以外の方向への移動であってもよい。
【００２９】
なお、ロック体５の軸が略同一の状態での移動とは、ロック体５がロック解除位置とロック位置との間を移動する間において、ロック体５の軸が常に略同一となるような移動をいう。例えば、ロック体５の軸が略同一の状態での移動は、ロック解除位置とロック位置との間で、ロック体５の軸に対して略平行な移動、ロック体５の軸を中心として周回り方向に回転する移動、ロック体５の軸を中心として周回りを螺旋状に動く移動を含む。
【００３０】
ロック体５は、このようにロック体５の軸が略同一の状態でホルダー本体９に対して移動するので、ロック体５がロック解除位置にある場合においても、ロック体５はホルダー４から大きく離れることが無い。したがって、組付作業の際にロック体５をロック解除位置からロック位置に移動させる際に、ホルダー４を把持している手を持ち替えることなく、ロック体５を移動させる作業を行うことが容易となり、極めて簡単な作業で調整した長さに固定することができる。
【００３１】
操作部１７は、矩形平板形状で、外嵌部１６の外周面に当該外嵌部１６の軸方向に沿って設けられており、外嵌部１６をロック体保持部１４に外嵌させた状態で、ホルダー本体９の軸方向と垂直な方向に延びて形成されている。操作部１７は、外嵌部１６の軸方向の長さよりも長く、その両端が外嵌部１６の軸方向にはみ出した延出端部１８を形成している。操作部１７の延出端部１８の外嵌部１６側にはそれぞれ切り欠き部１９が形成されている。
【００３２】
ロック体保持部１４の軸方向の両端近傍には、ロック体５を回転移動させた場合に操作部１７の延出端部１８が係止する係止段部２０が、開口部１１の反対側のホルダー本体９の表面にそれぞれ２箇所ずつ設けられている。係止段部２０は、ロック体保持部１４の半径外方向に突出しており、ロック体５の回転移動によってこの係止段部２０を延出端部１８が乗り越えることにより、係止段部２０に延出端部１８が係止される。係止段部２０は、延出端部１８が回転方向における一方の係止段部２０に係止されたときにロック体５がロック位置に配置され、延出端部１８が回転方向における他方の係止段部２０に係止されたときにロック体５がロック解除位置に位置するように配置されている。延出端部１８には前述のように切り欠き部１９が設けられており、この切り欠き部１９によって延出端部１８の基端側が弾性変形することにより係止段部２０を乗り越えて係止される。
【００３３】
ここで、ロック体５がロック位置に配置されている状態で、延出端部１８が係止段部２０に係止されている状態を第一係合状態といい、ロック体５がロック解除位置に配置されている状態で、延出端部１８が係止段部２０に係止されている状態を第二係合状態という。また、延出端部１８がいずれの係止段部２０にも係止されていない状態を非係合状態という。
【００３４】
第一係合状態のときには、ロック体５はロック位置にあるので、ロッド２の開口部１１側への移動が規制されて、係止歯列７と被係止歯列１０との噛合が解除されることが規制される。そして、延出端部１８が係止段部２０に係止されているので、係止段部２０を延出端部１８が乗り越える程の外力が加わらない限りはロック体５はロック解除位置の方向に回転移動することができないので、第一係合状態においてはロック体５がロック位置に配置された状態を維持することができる。したがって、ロッド２をホルダー４に確実に組み付けることができる。
【００３５】
また、第二係合状態のときには、ロック体５はロック解除位置にあるので、係止歯列７と被係止歯列１０との噛合、又は当該噛合の解除が可能である。そして、延出端部１８が係止段部２０に係止されているので、係止段部２０を延出端部１８が乗り越える程の外力が加わらない限りはロック体５はロック位置の方向に回転移動することができない。したがって、第二係合状態においてはロック体５がロック解除位置に配置された状態を維持することができる。したがって、ロック体５の移動することを気にすることなく、係止歯列７と被係止歯列１０とを噛合させて、ホルダー４に対するロッド２の取り付け位置を仮決めするとともに、ロッド２を開口部１１側に移動させて、係止歯列７と被係止歯列１０との噛合を解除して、ホルダー４に対するロッド２の取り付け位置を調整することができる。
【００３６】
そして、非係合状態のときには、ロック体５は、ロック位置及びロック解除位置の間に配置されている。非係合状態のときには、延出端部１８が係止段部２０に係止されていないので、ロック体５は比較的弱い力で操作部１７を操作することで、ロック体５を回転移動させる操作をすることができる。
【００３７】
なお、ロック体５はホルダー本体９に予め接続されている。すなわち、ロッド２と組付ける前に、ロック体５は予めホルダー本体９のロック体保持部１４に外嵌部１６が外嵌した状態となっている。このようにすることで、ロック体５をロック位置に移動させる作業の際にホルダー本体９に接続する工程が不要となり、作業工程を簡略化することができる。
【００３８】
ロッド２とホルダー４とを長さ調整しつつ接続する作業は、まず、図１及び図６に示すように、ロック体５をロック解除位置に移動させて、ロッド本体９を開口部１１からロッド収容部３へ挿入可能な状態とし、ロッド２の軸方向に移動させてロッド２のホルダー４に対する位置を調整したうえで、ロッド２をホルダー本体９のロッド収容部３に収容する。図６（Ｂ）に示すように、ロック解除位置では、ロッド収容部３の開口部１１とロック体５の外嵌部１６の開放部１５が同じ径方向に配置されるので、ロッド２をロッド収容部３の開口部１１からロック体５の外嵌部１６の開放部１５を通して、係止歯列７をロッド収容部３の底部の被係止歯列１０に当接するように収容することができる。なお、ロッド２をホルダー本体９のロッド収容部３に収容してから、ロッド２の軸方向に移動させてロッド２のホルダー４に対する位置を調整し、その後に係止歯列７をロッド収容部３の底部の被係止歯列１０に当接させてもよい。
【００３９】
そして、図２及び図７に示すように、操作部１７を操作して、ロック体５をロック位置まで、ホルダー本体９のロック体保持部１４の周回りに回転移動させ、操作部１７の延出端部１８を係止段部２０に係止させる。図７（Ｂ）に示すようにロッド収容部３に収容されているロッド２は、ロック体５の外嵌部１６の内周面に当接して、ロッド収容部３の開口部１１側に移動することを規制されるため、係止歯列７と被係止歯列１０との噛合が解除されることが規制でき、ロッド２が調整した長さに固定される。
【００４０】
このように、本実施形態の長さ調整装置１によると、ロック体５をロック解除位置からロック位置に移動させる際に、ホルダー本体９の周回り方向にロック体５を回転させるだけの操作でよい。したがって、長さ調整作業を行う際と、ロック体をロック位置に移動させる作業の際とで、作業者が作業している手を替えることなく、ホルダー４またはロッド２を把持している状態のまま、ロック体５の操作部１７を操作して、ロック解除位置からロック位置に回転動作させるだけで、ロッド２をホルダー４に所望の長さで固定することができ、長さ調整した状態からロッド２がずれにくく、極めて簡単な作業で調整した長さに固定することができる。また、ホルダー本体９の軸方向に対する周回りに回転させるだけでよいので、周囲に他の部品などが組み付けられている場合のように作業スペースが狭い場合や目視しながらの組付けが困難な場合にも組付け作業することができる。
【００４１】
本発明の長さ調整装置１は、上述の形態に限るものではなく、本発明の要旨を逸脱しない範囲内で適宜変更することができる。
【産業上の利用可能性】
【００４２】
本発明に係る長さ調整装置１は、例えばコントロールケーブルと、車両の変速機のセレクトレバーとを連結する長さ調整装置１として好適に用いることができる。
【符号の説明】
【００４３】
１        長さ調整装置
２        ロッド
３        ロッド収容部
４        ホルダー
５        ロック体
６        ロッド本体
７        係止歯列
９        ホルダー本体
１０      被係止歯列
１１      開口部
１２      連結部
１７      操作部
【図１】
2015031380.tif 000003
【図２】
2015031380.tif 000004
【図３】
2015031380.tif 000005
【図４】
2015031380.tif 000006
【図５】
2015031380.tif 000007
【図６】
2015031380.tif 000008
【図７】
2015031380.tif 000009